(57)【要約】      （修正有）【課題】低背化又は小型化を行った場合であってもコネクタの嵌合保持性を維持又は向上させることを可能とする垂直嵌合型電気コネクタを提供する。【解決手段】コネクタ２，３抜去方向に外力が作用した場合であっても、コネクタ２，３どうしの嵌合作用に寄与している導電端子（コンタクト）２２の端子接続部２２ｄにおける変位量を、絶縁ハウジング２１の係止リブ２１ｅと導電端子２２の抜去係合部２２ｇとの当接により抑制することによって、コネクタ２，３どうしの嵌合力を強化し、コネクタ抜去方向の外力に対するコンタクト全体の嵌合耐力を向上させるように構成したもの。【選択図】図６
2008258112.tif 000002
【特許請求の範囲】
【請求項１】
一対のコネクタどうしが導電端子の多極配列方向と略直交する方向に嵌合・抜去される垂直嵌合構造になされたものであって、
前記一対のコネクタどうしが嵌合されたときに少なくとも一方のコネクタの絶縁ハウジングに装着された導電端子の端子接続部が弾性的に変位するように構成された垂直嵌合型電気コネクタにおいて、
前記一対のコネクタどうしを抜去する方向の外力が負荷されたときに、前記少なくとも一方のコネクタにおける導電端子の一部が、その導電端子が設けられているコネクタの絶縁ハウジングに当接されることによって前記端子接続部の変位量が抑制されるように構成されていることを特徴とする垂直嵌合型電気コネクタ。
【請求項２】
前記少なくとも一方のコネクタの導電端子及び絶縁ハウジングには、前記一対のコネクタどうしを抜去する方向の外力が負荷されたときに当接する抜去係合部及び抜去係止部が設けられていることを特徴とする請求項１記載の垂直嵌合型電気コネクタ。
【請求項３】
前記少なくとも一方のコネクタの導電端子の変位量が、当該導電端子の板厚の半分以下に抑制されるように構成されていることを特徴とする請求項１記載の垂直嵌合型電気コネクタ。
【請求項４】
前記少なくとも一方のコネクタの導電端子における端子接続部は、前記他のコネクタの導電部に向かって突出するように折曲げ形成され、その突状折曲部分に溝部が形成されていることを特徴とする請求項１記載の垂直嵌合型電気コネクタ。
【請求項５】
前記一方のコネクタの端子接続部と接触する他のコネクタの導電端子に凹溝部が設けられていることを特徴とする請求項１記載の垂直嵌合型電気コネクタ。
【発明の詳細な説明】
【技術分野】
【０００１】
本発明は、一対のコネクタどうしが導電端子の多極配列方向と略直交する方向に嵌合・抜去されるように構成された垂直嵌合型電気コネクタに関する。
【背景技術】
【０００２】
一般に、携帯電話などの各種電気機器において、複数本の同軸ケーブルやフレキシブル配線基板を印刷配線基板に接続し、又は印刷配線基板どうしを電気的に接続するにあたって、互いに嵌合接続可能に構成された一対の電気コネクタが用いられることが多い。その際に使用される一対の電気コネクタとしては、例えば印刷配線基板上に実装されるリセプタクルコネクタ（第１のコネクタ）と、そのリセプタクルコネクタに嵌合されるプラグコネクタ（第２のコネクタ）とが採用され、プラグコネクタに対して複数本の同軸ケーブルやフレキシブル配線基板等の端末部分を接合させた状態で、リセプタクルコネクタに対してプラグコネクタの嵌合が行われる。
【０００３】
このように相互に嵌合可能となるように構成された電気コネクタにおいては、近年、低背化及び小型化が急速に進められつつあり、そのような低背化及び小型化の要請に対応するために例えば下記の特許文献１では、上下方向にスタッキング状態にある一対の印刷配線基板の各々に対して上述した垂直嵌合型電気コネクタをそれぞれ実装しておき、それらの両垂直嵌合型電気コネクタどうしを導電端子（コンタクト）の多極配列方向と略直交する方向、すなわち印刷配線基板の平面に対して略垂直となる方向に差し込んで嵌合させる垂直嵌合型のコネクタ構造が採用されている。
【０００４】
このような垂直嵌合型の電気コネクタでは、薄板金属板を折り曲げてロール面を接触面とするように形成されたベローズ型の導電端子（コンタクト）が使用されているが、そのようなベローズ型の導電端子を使用した場合には、低背化を図りつつ嵌合作業を容易化することができるとともに良好な接触性が得られ、しかも実装部品の高密度化を図ることができるという利点が得られる。
【０００５】
しかしながら、上述した垂直嵌合型の電気コネクタに使用されているベローズ型の導電端子（コンタクト）は、外力に対して比較的容易に弾性変位してしまう傾向があることから、コネクタの抜去が比較的に容易に行われてしまい、コネクタの嵌合保持性の耐力に問題を生じるおそれがある。
【０００６】
【特許文献１】特開２０００−２６０５０９号公報
【発明の開示】
【発明が解決しようとする課題】
【０００７】
そこで本発明は、低背化又は小型化を行った場合であっても、コネクタの嵌合保持性を簡易な構成で向上させることができるようにした垂直嵌合型電気コネクタを提供することを目的とする。
【課題を解決するための手段】
【０００８】
上記目的を達成するため本発明にかかる垂直嵌合型電気コネクタでは、一対のコネクタどうしが導電端子の多極配列方向と略直交する方向に嵌合・抜去される垂直嵌合構造になされたものであって、前記一対のコネクタどうしが嵌合されたときに少なくとも一方のコネクタの絶縁ハウジングに装着された導電端子の端子接続部が弾性的に変位するように構成された垂直嵌合型電気コネクタにおいて、前記一対のコネクタどうしを抜去する方向の外力が負荷されたときに、前記少なくとも一方のコネクタにおける導電端子の一部が、その導電端子が設けられているコネクタの絶縁ハウジングに当接されることによって前記端子接続部の変位量が抑制されるように構成されている。
【０００９】
このような構成を有する垂直嵌合型電気コネクタによれば、コネクタ抜去方向に外力が作用した場合であっても、コネクタどうしの嵌合作用に寄与している導電端子の端子接続部における変位量が絶縁ハウジングにより抑制されることによってコネクタどうしの嵌合力が強化されることとなり、その結果、コネクタ抜去方向の外力に対するコンタクト全体の嵌合耐力が向上されるようになっている。
【００１０】
このとき、本発明における少なくとも一方のコネクタの導電端子及び絶縁ハウジングに、一対のコネクタどうしを抜去する方向の外力が負荷されたときに当接する抜去係合部及び抜去係止部が設けられた構成を採用することが可能である。
【００１１】
このような構成を有する垂直嵌合型電気コネクタによれば、コネクタ抜去方向の外力に対向する手段が、絶縁ハウジングの抜去係止部と、それに当接する導電端子の抜去係合部とから構成されるため、簡易な構成によって良好な作用が得られる。
【００１２】
また、本発明における少なくとも一方のコネクタの導電端子の変位量は、当該導電端子の板厚の半分以下に抑制される構成とすることが可能である。
【００１３】
このような構成を有する垂直嵌合型電気コネクタによれば、導電端子の変位が微少な量に抑制され、それによって一層安定した電気的接続を得ることが可能となる。
【００１４】
さらに、本発明における少なくとも一方のコネクタにおける導電端子の端子接続部は、他のコネクタの導電部に向かって突出するように折曲げ形成され、その突状折曲部分に溝部が形成される構成とすることが可能である。
【００１５】
このような構成を有する垂直嵌合型電気コネクタによれば、導電端子の端子接続部における弾性変位が良好に行われ、当該導電端子の端子接続部における電気的な接触性が向上されるようになっている。
【００１６】
さらにまた、本発明における一方のコネクタの端子接続部と接触する他のコネクタの導電端子に凹溝部が設けられた構成を採用することが可能である。
【００１７】
このような構成を有する垂直嵌合型電気コネクタによれば、コネクタ抜去方向に外力が作用した場合に、他のコネクタにおける導電端子の凹溝部に、一方のコネクタの端子接続部との接触を維持する作用が働くことから、コネクタ抜去方向の外力に対する嵌合耐力が向上されるようになっている。
【発明の効果】
【００１８】
以上述べたように本発明にかかる垂直嵌合型電気コネクタは、コネクタ抜去方向に外力が作用した場合であっても、コネクタどうしの嵌合作用に寄与している導電端子の端子接続部における変位量を絶縁ハウジングにより抑制することによってコネクタどうしの嵌合力を強化し、コネクタ抜去方向の外力に対するコンタクト全体の嵌合耐力を向上させるように構成したものであるから、低背化又は小型化を行った場合であってもコネクタの嵌合保持性を維持又は向上させることができ、垂直嵌合型電気コネクタの信頼性を低廉かつ大幅に高めることができる。
【発明を実施するための最良の形態】
【００１９】
以下、本発明を、複数本の同軸ケーブルを印刷配線基板側に接続する垂直嵌合型電気コネクタに適用した実施形態の説明を図面に基づいて詳細に行う。
【００２０】
まず、図１に示された垂直嵌合型電気コネクタは、印刷配線基板１上に実装されるリセプタクルコネクタ（第１のコネクタ）２と、そのリセプタクルコネクタ２に嵌合されるプラグコネクタ（第２のコネクタ）３とから構成されている。そして、前記プラグコネクタ３が、前記リセプタクルコネクタ２の直上に配置された状態から前記印刷配線基板１と略直交する図１下方向に向かって下降されることによって、前記リセプタクルコネクタ２の嵌合部にプラグコネクタ３の嵌合部が差し込まれるようにして両コネクタ２，３どうしの嵌合が行われる垂直嵌合型の構成になされている。以下において、プラグコネクタ３を差し込む嵌合方向を下方向とし、反対側の抜き出す抜去方向を上方向とする。
【００２１】
これらのリセプタクルコネクタ（第１のコネクタ）２及びプラグコネクタ（第２のコネクタ）３は、図２ないし図７にも示されているように、細長板状をなすように延在する絶縁ハウジング２１，３１をそれぞれ備えているとともに、それら細長状の絶縁ハウジング２１，３１のコネクタ長手方向に沿って複数体の導電端子（コンタクト）２２，３２が適宜のピッチ間隔で多極配列されている。また、前記プラグコネクタ３における絶縁ハウジング３１の外表面のほぼ全面が金属製の導電性シェル３３により覆われているとともに、リセプタクルコネクタ２の外周側部分が金属製の導電性シェル２３により覆われている。
【００２２】
前記プラグコネクタ３のコネクタ長手方向に延在する端縁部の一方側には、多極状に並列するように配列された複数本の同軸ケーブル４の端末部分が連結されている。以下、この同軸ケーブル４の端末部分が連結されるプラグコネクタ３の後方側の端縁部を後端縁部と呼び、それとは反対側の前方側の他端縁部を前端縁部と呼ぶこととし、さらにこれらプラグコネクタ３の後端縁部及び前端縁部に対応するリセプタクルコネクタ２の各端縁部についても同様に後端縁部及び前端縁部と呼ぶこととする。
【００２３】
前記同軸ケーブル４の端末部分には、被覆材が皮剥きされることによってケーブル中心導体（信号線）４ａ及びケーブル外部導体（シールド線）４ｂが露出されており、中心軸心に沿うように配置されたケーブル中心導体４ａが、上述した前記プラグコネクタ３の各導電端子（コンタクト）３２における後端部分のそれぞれに対して一括して半田接続されているとともに、それらの各ケーブル中心導体４ａの外周側を取り囲むように配置されたケーブル外部導体４ｂが、上下に一対配置されたグランドバー３４，３４の間に挟持されて半田接続されることにより保持されている。
【００２４】
ここで、上述したプラグコネクタ３の各導電端子（コンタクト）３２に対する同軸ケーブル４のケーブル中心導体４ａの接続は、先に説明した半田接続の他に、かしめ接続、圧接接続等により行うことが可能であるが、その同軸ケーブル４が接続される前記プラグコネクタ３の各導電端子３２は、上述した同軸ケーブル４との接続部分から前方側（図示左方側）に向かって延出しており、その延出側の前端部分が下方側に向かって略直角に折り曲げられている。その導電端子３２における前端部分の内面側（図示右方側）には凹溝部３２ａが形成されており、当該導電端子３２の凹溝部３２ａ内に、後述するリセプタクルコネクタ２側の導電端子２２の後端部が圧接されるようになっている。
【００２５】
また、上述したプラグコネクタ（第２のコネクタ）３における導電性シェル３３は、図１の上面側及び下面側をそれぞれ構成している上部導電性シェル３３ａ、及び下部導電性シェル３３ｂから構成されている。そのうちの下部導電性シェル３３ｂは、上述した絶縁ハウジング３１の底面側（図１の下面側）に露出するようにインサート成形されている。一方、上部導電性シェル３３ａは、上述した同軸ケーブル４の半田接続後の状態において前記絶縁ハウジング３１の上面側に前端縁部側からスライドするようにして嵌合されており、絶縁ハウジング３１の上面側をほぼ完全に覆うように固定されている。この上部導電性シェル３３ａの前端縁部分には、下方向に向かって略直角に折り曲げられた折曲外端片３３ｃが設けられており、その折曲外端片３３ｃによって前記絶縁ハウジング３１の前端面が外側から覆われる構成になされている。
【００２６】
さらに、上述した上部導電性シェル３３ａの後端部分には、長手方向に沿って複数（３体）の爪状接続片３３ｄが下方側に向かって切り起こすように形成されており、それらの各爪状接続片３３ｄが、前記同軸ケーブル４のケーブル外部導体４ｂの上面側に当接配置された上部側のグランドバー３４に圧接することにより接続されている。また、上記ケーブル外部導体４ｂの下面側に当接配置された下部側のグランドバー３４は、プラグコネクタ３の下部導電性シェル３３ｂに圧接することにより接続されている。
【００２７】
このように第２のコネクタとしてのプラグコネクタ３においては、導電性シェル３３によって絶縁ハウジング３１の上面（平面）、下面（底面）、前面及び両側面、すなわち絶縁ハウジング３１のほぼ全面が導電性シェル３３で覆われた構成になされている。このような構成は、電磁遮蔽の効果を得る上で好ましい。
【００２８】
一方、上述した第１のコネクタとしてのリセプタクルコネクタ２に設けられた導電性シェル２３は、絶縁ハウジング２１における前端縁部からコネクタ長手方向両端縁部にかけて、平面略コの字状に延在するように配置されている。この導電性シェル２３のコネクタ長手方向両端部分には、前後方向にそれぞれ突出するように折り曲げ形成されたホールドダウン２３ａ，２３ｂが設けられているとともに、当該導電性シェル２３の前端縁部におけるコネクタ長手方向略中央部分にもホールドダウン２３ｃが前方に突出するように形成されている。そして、これらの各ホールドダウン２３ａ，２３ｂ，２３ｃが、前記印刷配線基板１上のグランド導電路（図示省略）に対して半田接合されることによって電気的な接続と、当該リセプタクルコネクタ２全体の固定とが行われる。
【００２９】
ここで、上記リセプタクルコネクタ２に設けられた各導電端子（コンタクト）２２は、当該リセプタクルコネクタ２における前端側部分に配置されているが、それらの各導電端子２２は、側面略Ｓ字状に湾曲した形状になされている。そして、それらの各導電端子２２の前端側部分には、前後方向に適宜の間隔をおいて対向するように立設された係止壁部２２ａと対向壁部２２ｂとからなる山形状湾曲部分が上方に立ち上るように設けられている。これらの係止壁部２２ａと対向壁部２２ｂとの間部分には、前記絶縁ハウジング２１の前端縁部分に立設された前端凸壁部２１ａが下方側から挿入されて挟持されるようになっている。
【００３０】
これらの各導電端子２２の係止壁部２２ａにおける下縁部分は、前記印刷配線基板１と略平行となるように略直角に折り曲げられて当該リセプタクルコネクタ２の前方に向かって延出する半田接続部２２ｆに繋げられているとともに、前記対向壁部２２ｂの下縁部分は、印刷配線基板１と略平行となるようにリセプタクルコネクタ２の後方側へ折り曲げられて後述する連結部２２ｈに向かって延びている。
【００３１】
また、図８にも示されているように、上記絶縁ハウジング２１の前端部分には、上述した導電端子（コンタクト）２２のコネクタ長手方向の両側に配置された多数の端子固定壁２１ｂが立設されている。これらの各端子固定壁２１ｂは、当該リセプタクルコネクタ２のコネクタ長手方向に略等間隔をなして並列するように配置されている。
【００３２】
一方、図９乃至図１３に示されているように、上述した各導電端子２２に設けられた係止壁部２２ａの板幅方向の両側面には、凹凸状をなす係合段部２２ｃがそれぞれ形成されており、その導電端子２２の係合段部２２ｃが、上述した絶縁ハウジング２１の端子固定壁２１ｂの側壁面に対して食い込むように圧入されることによって上記各導電端子２２の係止が行われ、それによって当該導電端子２２の全体が絶縁ハウジング２１に保持されるようになっている。
【００３３】
さらに、上記各導電端子２２の後端部分は、略Ｌ字状をなすようにして上方に向かって立ち上げられた形状になされているが、その導電端子２２の後端部分における立ち上げ上端部分には、前方側に向かって略逆くの字状に突出する端子接続部２２ｄが折り曲げ形成されており、その端子接続部２２ｄの凸状湾曲頂部が、上述したプラグコネクタ３の各導電端子３２側の凹溝部３２ａ内に収容された状態で圧接されるようになっている。また、本実施形態における端子接続部２２ｄの凸状湾曲頂部には、当該端子接続部２２ｄの弾性力を向上させるための分割溝部２２ｅが形成されている。この導電端子２２の構造は、本発明の要部であるので後段において詳細に説明することとする。
【００３４】
ここで、前述したように第１のコネクタとしてのリセプタクルコネクタ２に対して、第２のコネクタとしてのプラグコネクタ３は、下方向（同軸ケーブル４の多極配列方向と略直交する方向）に向かって差し込むようにして嵌合されるが、それら両コネクタ２，３どうしが嵌合されたときには、当該両コネクタ２，３にそれぞれ設けられた上記各導電端子（コンタクト）２２，３２における接続部どうしが互いに接触して端子接続部が形成されるようになっている。
【００３５】
すなわち、上記端子接続部においては、プラグコネクタ３側の導電端子３２に設けられた凹溝部３２ａ内に、リセプタクルコネクタ２の導電端子（コンタクト）２２の端子接続部２２ｄが凹凸状に圧接されるように構成されていて、上述した同軸ケーブル４のケーブル中心導体（信号線）４ａを通して供給される電気信号は、プラグコネクタ３側の各導電端子（コンタクト）３２を通して当該プラグコネクタ３の前端側に送られた後に、前記端子接続部を介してリセプタクルコネクタ２側の各導電端子２２に伝達され、当該導電端子２２が折り曲げ形状である略Ｓ字状をなすように電気信号が流れて前述した印刷配線基板１側に供給されるようになっている。
【００３６】
また、前述したリセプタクルコネクタ２の各導電端子（コンタクト）２２の前端部分を構成している半田接続部２２ｆは、前記絶縁ハウジング２１の前端縁部から前方に突出するように形成されており、当該各導電端子２２の半田接続部２２ｆが前記印刷配線基板１上の信号導電路（図示省略）に半田接合されていることによって各導電端子２２の電気的接続が行われるとともに、リセプタクルコネクタ２の固定が行われるようになっている。
【００３７】
さらに、上述したリセプタクルコネクタ２の導電性シェル２３の前端カバー部分２３ｄは、特に図３及び図５に示されているように、前記絶縁ハウジング２１の前端縁部分に立設された前端凸壁部２１ａを上方側から覆うように横断面略コの字状をなすように形成されており、当該前端カバー部分２３ｄの後端側部分に、下方向に折れ曲げられるようにして延在する内端縁部２３ｅが設けられている。
【００３８】
この内端縁部２３ｅは、前記リセプタクルコネクタ２のコネクタ長手方向に沿って長尺状をなすように形成されており、当該内端縁部２３ｅのコネクタ長手方向途中位置に、複数の弾性接続舌片２３ｆがコネクタ長手方向に沿って適宜の間隔をなすように複数配置されている。それらの弾性接続舌片２３ｆのそれぞれは、下端側を自由端とする片持ち状をなすように切り欠き形成されており、適宜の弾性を有する端子接続部を構成するように設けられている。そして、各弾性接続舌片２３ｆにおける下端側の自由端が斜め後方に向かって張り出すように設けられていることによって、当該弾性接続舌片２３ｆが前述したプラグコネクタ３の前端側に設けられた折曲外端片３３ｃの前端側表面に対して圧接状態で接触する構成になされている。
【００３９】
すなわち、前述したように第１のコネクタとしてのリセプタクルコネクタ２に対して第２のコネクタとしてのプラグコネクタ３が下方向（同軸ケーブル４の多極配列方向と略直交する方向）に向かって差し込むことにより上記両コネクタ２，３どうしが嵌合されたときには、前記リセプタクルコネクタ２に設けられた導電性シェル２３の各弾性接続舌片２３ｆに対して、プラグコネクタ３の上部導電性シェル３３ａに設けられた折曲外端片３３ｃが圧接するように接触し、それによってシェル接続部が形成されるようになっている。  また、後端部分においても、リセプタクルコネクタ２の下部導電性シェル３３ｂとプラグコネクタ３の導電性シェル２３が接触し、シェル接続部が形成されるようになっている。
【００４０】
従って、前記同軸ケーブル４のケーブル外部導体（シールド線）４ｂは、グランドバー３４，３４及び上部導電性シェル３３ａの折曲外端片３３ｃを介してリセプタクルコネクタ２の導電性シェル２３に接続されることなるが、特に上部導電性シェル３３ａは、上述したシェル接続部を介してリセプタクルコネクタ２側の導電性シェル２３に接続されることから、前記電気信号の信号線に沿ったシールド領域が形成されるようになっている。
【００４１】
このとき、上述した端子接続部及びシェル接続部は、印刷配線基板１からの高さ方向において略同一の高さ位置に配置されていて、シェル接続部が、端子接続部に対して前後方向（両コネクタ２，３の嵌合方向と直交する方向）に対向するように配置されている。これらのシェル接続部及び端子接続部の間には、プラグコネクタ３側の絶縁ハウジング３１が介在されており、その絶縁ハウジング３１を挟んで、それらのシェル接続部と端子接続部との間に生じる前後方向の押圧力によって、特に端子接続部における接触状態が良好に保持されるようになっている。
【００４２】
また、上述したように端子接続部に対してシェル接続部が前後方向に対向するように配置されていることによって、前記両コネクタ２，３の両導電性シェル２３，３３により形成されるシールド領域が連続的に形成されることとなる。しかもそのシールド領域を形成しているシェル接続部は、コネクタ内部の奥側に配置された前記端子接続部の近傍まで入り込んだ位置に配置されているため、上述した両コネクタ２，３の導電端子２２，３２により略Ｓ字状をなすように形成された電気信号線に沿ってシールド領域が形成されることとなる。その結果、電気信号線から発生する電磁波のシールドが良好に行われるようになっている。
【００４３】
一方、前述したように第１のコネクタとしてのリセプタクルコネクタ２に対して第２のコネクタとしてのプラグコネクタ３が嵌合された状態において、プラグコネクタ３を上方向（同軸ケーブル４の多極配列方向と略直交する方向）に引き抜く抜去方向の外力が作用した際には、特に図９に示されているように、その抜去方向の外力（負荷）の方向（上方向）にリセプタクルコネクタ２の導電端子（コンタクト）２２の端子接続部２２ｄを含む後端部分が、図中の２点鎖線の状態から実線状態又は図６中の矢印のように変位される。そして、そのときの前記端子接続部２２ｄの変位量が一定以上に大きくなったときに、上記プラグコネクタ３がリセプタクルコネクタ２から抜去されることとなる。
【００４４】
このようなコネクタ抜去方向の外力に対して本実施形態では、上記リセプタクルコネクタ２の導電端子（コンタクト）２２が抜去方向（上方向）に変位しようとしたときに、当該リセプタクルコネクタ２の導電端子２２の一部が絶縁ハウジング２１に当接されることによって、前記端子接続部２２ｄの変位量が抑制される構成になされている。
【００４５】
すなわち、特に図８、及び１０乃至図１３に示されているように、上記リセプタクルコネクタ２の導電端子（コンタクト）２２の湾曲状折曲げ部分を構成している前記対向壁部２２ｂには、コネクタ長手方向における幅寸法が他の部位の幅寸法Ｗ２よりもやや拡大された幅広寸法Ｗ１になされた抜去係合部２２ｇが設けられている。そして、その抜去係合部２２ｇから後方側に向かって片持ち状に延出する連結部２２ｈの延出側先端部分（後端部分）に、上述した端子接続部２２ｄが設けられている。
【００４６】
一方、上述した各導電端子（コンタクト）２２の抜去係合部２２ｇに対応して、前記絶縁ハウジング２１の各端子固定壁２１ｂにおける後端側部分には、コネクタ長手方向の両側に向かって張り出すように形成された係止リブ２１ｅが、抜去係止部として上記絶縁ハウジング２１の内部側に設けられている。これら絶縁ハウジング２１に設けられた各係止リブ２１ｅは、上述した導電端子２２における各抜去係合部２２ｇの後方側に適宜の距離（図５中の「コンタクト変位スペース」参照）をなして対面するように重合配置されている。
【００４７】
そして、上記プラグコネクタ３が抜去される上方向の外力が負荷されることによってリセプタクルコネクタ２の導電端子（コンタクト）２２の端子接続部２２ｄが同方向に変位された際に、上記導電端子２２に設けられた前記各抜去係合部２２ｇが、絶縁ハウジング２１の抜去係止部としての係止リブ２１ｅに当接され、それによって上記導電端子２２の端子接続部２２ｄにおける変位量が抑制される構成になされている。これは、上述した導電端子２２に設けられた抜去係合部２２ｇが、絶縁ハウジング２１側の係止リブ２１ｅに当接して不動状態に保持されることにより、前記端子接続部２２ｄに至るまでの弾性変位部分のスパン長が短縮されるためであり、特に本実施形態においては、上述した導電端子２２の変位量が、当該導電端子２２の板厚の略半分以下となるように抑制される構成になされている。
【００４８】
このように本実施形態にかる垂直嵌合型電気コネクタによれば、コネクタ抜去方向に外力が作用して両コネクタ２，３どうしの嵌合作用に寄与している導電端子２２の端子接続部２２ｄが大きく変位されようとした場合であっても、導電端子２２の抜去係合部２２ｇが、絶縁ハウジング２１に抜去係止部として設けられた各係止リブ２１ｅに当接されることによって、上記導電端子２２の端子接続部２２ｄにおける変位量が当該導電端子２２の板厚の約半分以下に抑制される。従って、上記両コネクタ２，３どうしの嵌合力が従来よりも大幅に強化されることとなり、その結果、コネクタ抜去方向の外力に対するコンタクト全体の嵌合耐力が向上されるようになっている。
【００４９】
このとき、特に本実施形態においては、リセプタクルコネクタ２の導電端子２２に設けた幅広状の抜去係合部２２ｇを絶縁ハウジング２１の係止リブ２１ｅに当接させる構成を採用していることから、簡易な構成によって良好な作用が得られる。
【００５０】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００５１】
例えば、上述した実施形態では、リセプタクルコネクタ（第１のコネクタ）２の導電端子２２の変位を当該リセプタクルコネクタ２の絶縁ハウジング２１により抑制する構成になされているが、プラグコネクタ３側の導電端子３２を弾性変形可能なコンタクト形状とし、プラグコネクタ３側の絶縁ハウジング３１により、プラグコネクタ３側の導電端子３２の変位を抑制する構成とすることも可能である。
【００５２】
また、上述した実施形態では、導電端子２２の対向壁部２２ｂの幅寸法よりもやや拡大された幅広寸法Ｗ１を有する抜去係合部２２ｇが設けられているが、抜去係合部２２ｇの幅寸法Ｗ１を拡大しなくても、連結部２２ｈの幅寸法Ｗ２より大きければ、導電端子２２の変位を抑止することが可能となる。
【００５３】
また本発明は、上述した実施形態のような同軸ケーブル用コネクタに限定されることはなく、同軸ケーブルと絶縁ケーブルとが複数混合したタイプの垂直嵌合型電気コネクタや、フレキシブル配線基板又は配線基板どうしを連結する垂直嵌合型電気コネクタ等についても同様に適用することが可能である。
【００５４】
さらに本発明は、上述した実施形態のように、プラグコネクタの導電性シェルが上部導電性シェル及び下部導電性シェルから構成されることはなく、一体的に形成される構造や、３つ以上に分割される構造等、種々変形可能である。
【産業上の利用可能性】
【００５５】
以上のように本発明は、各種電気機器に使用される多種多様な垂直嵌合型電気コネクタに対して広く適用することが可能である。
【図面の簡単な説明】
【００５６】
【図１】本発明の一実施形態にかかる同軸ケーブル用垂直嵌合型電気コネクタの嵌合直前の状態を表した外観斜視説明図である。
【図２】図１に用いられているプラグコネクタの構造を表した横断面説明図である。
【図３】図１に用いられるリセプタクルコネクタの構造を表した横断面説明図である。
【図４】図１に表されたコネクタどうしを嵌合させた状態の横断面説明図である。
【図５】図３に示されているリセプタクルコネクタの前端部分を拡大して表した横断面説明図である。
【図６】図４に示されているコネクタどうしの嵌合状態における前端部分を拡大して表した横断面説明図である。
【図７】図１に用いられているリセプタクルコネクタから導電性シェルを取り外した状態を表した外観斜視説明図である。
【図８】図７に表されたリセプタクルコネクタのVIII部を拡大して表した外観斜視説明図である。
【図９】リセプタクルコネクタに用いられている導電端子（コンタクト）の変位状態を表した側面説明図である。
【図１０】リセプタクルコネクタに用いられている導電端子（コンタクト）を後端側から見たときの構造を表した外観斜視説明図である。
【図１１】リセプタクルコネクタに用いられている導電端子（コンタクト）を前端側から見たときの構造を表した外観斜視説明図である。
【図１２】図１０及び図１１に示されたリセプタクルコネクタの導電端子（コンタクト）の構造を表した平面説明図である。
【図１３】図１０及び図１１に示されたリセプタクルコネクタの導電端子（コンタクト）の構造を表した側面説明図である。
【符号の説明】
【００５７】
１  印刷配線基板
２  リセプタクルコネクタ（第１のコネクタ）
３  プラグコネクタ（第２のコネクタ）
２１，３１  絶縁ハウジング
２１ａ  前端凸壁部
２１ｂ  端子固定壁
２１ｅ  係止リブ
２２，３２  導電端子（コンタクト）
２２ａ  係止壁部
２２ｂ  対向壁部
２２ｃ  係合段部
２２ｄ  端子接続部
２２ｅ  分割溝部
２２ｆ  半田接続部
２２ｇ  抜去係合部
２２ｈ  連結部
３２ａ  凹溝部
２３，３３  導電性シェル
２３ａ，２３ｂ，２３ｃ  ホールドダウン
２３ｄ  前端カバー部分
２３ｅ  内端縁部
２３ｆ  弾性接続舌片
３３ａ  上部導電性シェル
３３ｂ  下部導電性シェル
３３ｃ  折曲外端片
３３ｄ  爪状接続片
３４  グランドバー
４  同軸ケーブル
４ａ  ケーブル中心導体（信号線）
４ｂ  ケーブル外部導体（シールド線）
【図１】
2008258112.tif 000003
【図２】
2008258112.tif 000004
【図３】
2008258112.tif 000005
【図４】
2008258112.tif 000006
【図５】
2008258112.tif 000007
【図６】
2008258112.tif 000008
【図７】
2008258112.tif 000009
【図８】
2008258112.tif 000010
【図９】
2008258112.tif 000011
【図１０】
2008258112.tif 000012
【図１１】
2008258112.tif 000013
【図１２】
2008258112.tif 000014
【図１３】
2008258112.tif 000015